(57)【要約】【課題】ボールを遠くに飛ばすことができるクラブフェイスを後方へ弾性変形可能なクラブヘッドを提供することである。【解決手段】前ユニット２０と、後ユニット３０とを備える。後ユニット３０にクラブヘッド１０のネック１１を有し、前ユニット２０はクラブフェイス２１と、フェイス周縁から後へ延伸して形成されている垣部と、垣部の頂面から更に後へ延伸して一体成型されている撓曲弾性のあるトー２３とを有する。前ユニット２０と後ユニット３０との間は嵌合係止構造により接合されている。前ユニット２０のトー２３は、クラブヘッド１０の全体または一部分のキャップを構成する。クラブフェイス２１はトー２３により弾性的に支持されるため、打球の際の変形量を増大させ、弾性をよりいっそう増強することが可能である。【選択図】図１
2007289332.tif 000002
【特許請求の範囲】
【請求項１】
前ユニットと、後ユニットとを備え、
後ユニットはクラブヘッドのネックを有し、
前ユニットはクラブフェイスと、フェイス周縁から後へ延伸して形成されている垣部と、垣部の頂面から更に後へ延伸して一体成型されている撓曲弾性のあるトーとを有し、
前ユニットと後ユニットとの間は、嵌合係止構造により接合され、
前ユニットの撓曲弾性のあるトーはクラブヘッドの全体または一部分のキャップを構成することを特徴とするクラブフェイスを後方へ弾性変形可能なクラブヘッド。
【請求項２】
前ユニットは、チタン合金鋳造により一体成型されていることを特徴とする請求項１に記載のクラブフェイスを後方へ弾性変形可能なクラブヘッド。
【請求項３】
前ユニットは、チタン合金により鋳造成型され、クラブフェイスに対応する位置に凹槽（洞）を有し、クラブフェイスのプレートは凹槽（洞）中に接合されていることを特徴とする請求項１に記載のクラブフェイスを後方へ弾性変形可能なクラブヘッド。
【請求項４】
前ユニットは、トーの厚さが１．２ｍｍ以下であることを特徴とする請求項２に記載のクラブフェイスを後方へ弾性変形可能なクラブヘッド。
【請求項５】
前ユニットは、トーの厚さが１．２ｍｍ以下であることを特徴とする請求項３に記載のクラブフェイスを後方へ弾性変形可能なクラブヘッド。
【請求項６】
前後二つのユニットの嵌合係止構造は、前ユニットの周縁に設けられている凸部（凹槽）と、後ユニットの対応する周縁に設けられている凹槽（凸部）から構成されていることを特徴とする請求項１に記載のクラブフェイスを後方へ弾性変形可能なクラブヘッド。
【発明の詳細な説明】
【技術分野】
【０００１】
本発明は、ゴルフ用具、詳しく言えば、クラブフェイスを後方へ弾性変形させることが可能であるクラブヘッドに関するものである。
【背景技術】
【０００２】
クラブフェイスと鉛直線との間の角度がロフト（LOFT）あり、クラブの番号が大きければ大きいほど、ロフトが大きくなり、飛行の弾道は高くなり、飛行距離は短くなる。弾道が高くなることの長所は、ボールが落ちてから転がる距離が比較的短く、ボールのコントロールが良好なことである。しかし、周知のゴルフクラブは、設計上、ロフト（LOFT）が固定されているのが一般的である。
【発明の開示】
【発明が解決しようとする課題】
【０００３】
本発明の主な目的は、クラブフェイスを後方へ弾性変形させることが可能であるクラブヘッドを提供することである。これにより、ボールを打った瞬間にクラブフェイスを後方へ弾性変形させてロフトを大きくし、ボールを高く打ち、弾性変形後の復元力により打球力を増強して、ボールを遠く飛ばすことが可能となる。
【課題を解決するための手段】
【０００４】
上述の目的を達成するために、本発明によるクラブフェイスを後方へ弾性変形させることが可能であるクラブヘッドは、前後二つのユニットに分けられ、前ユニットはクラブヘッドのフェイスとトーとを含み、後ユニットはクラブヘッドのソールとネックとを含む。二つのユニットを接合すれば、前ユニットのトーがクラブヘッドの全体または一部分のキャップを構成する。前ユニットのトーは、チタン合金鋳造成型であり、厚さが１．２ｍｍ以下である。これにより、クラブフェイスが強力な衝撃力を受ける時、極めて良好な撓曲弾性によりクラブフェイスを後方へ傾斜させることが可能であるため、ロフト（LOFT）を大きくし、ボールを高く打つことが可能となり、かつ撓曲変形後の弾力的な復元力により、適当な時に打球力を増強することが可能であるため、ボールを遠く飛ばすことが可能となる。
【発明を実施するための最良の形態】
【０００５】
以下、二つの実施例を挙げ、図面に基づいて説明を加える。
図１と図２に示すように、本発明の第一実施例によるクラブヘッド１０は前ユニット２０と後ユニット３０とを備え、クラブヘッド１０のネック１１は後ユニット３０に設けられる。前ユニット２０は、クラブフェイス２１と、フェイス周縁から後へ延伸して形成される垣部２２と、垣部２２の頂面から更に後へ延伸して一体成型される撓曲弾性のあるトー２３とを有し、前後二つのユニットの間は嵌合係止構造により接合される。本実施例は、前ユニット２０の周縁に凸部２４を設け、後ユニット３０の対応する周縁に凸部２４を嵌合係止するための凹槽３４を設け、その後、ろう付け（brazing）によりこれらを接合する。接合後、前ユニット２０の撓曲弾性のあるトー２３は、クラブヘッド１０の全体または一部分のキャップを構成可能である。本実施例では、前ユニットはクラブヘッドの一部分のキャップを構成し、後ユニット３０の頂面部３３は別の一部分のキャップを構成する。図１の仮想線ａまたは仮想線ｂに示す通り、前ユニットのトーを比較的小さくするように設計することが可能である。本実施例における前ユニット２０は、チタン合金鋳造により一体成型され、トー２３の厚さが１．２ｍｍ以下であり、１ｍｍ以下であればより好ましい。本実施例における後ユニット３０は、単一式構造から構成することが可能であるほかに、二つ以上のユニットから構成する。例えば、ネック１１と後ユニットを一体で鋳造成型するか、或いは、別のネックユニットと後ユニットとを組み合わせて接合することも可能である。また、後ユニットはステンレス、アルミニウム合金またはマグネシウム合金などから構成することが可能である。
【０００６】
図３に示すように、ボールを打った瞬間にクラブフェイス２１は強力な衝撃力を受けて後方へ変形してしまう。この時、トー２３は極めて良好な撓曲弾性があるため、受力を持ち上げてクラブフェイスを後方へ傾斜させることが可能である。これにより、ロフト（LOFT）を大きくして、ボールを高く打つことが可能となる。また、変形した後のトーの弾性的な復元力がボールに迅速に跳ね返るため、ボールを遠く飛ばすことが可能である。
【０００７】
図４に示すように、本発明の第二実施例によるクラブヘッド４０は、前ユニット５０と後ユニット６０から構成され、前ユニット５０はチタン合金鋳造成型である。前実施例との違いは、前ユニット５０のクラブフェイスの位置に凹槽（洞）５１を設け、その内にクラブフェイスのプレート５２を装着し、続いて、ろう付けによりこれらを接合することである。本実施例では、クラブフェイスのプレート５２はβチタン合金板材から構成され、その構造は鋳造によるチタン合金より良好である。
【０００８】
本発明の長所は次の通りである。
１．弾性が良好である。クラブフェイスは撓曲弾性のあるトーにより弾性的に支持されるため、打球の際の変形量を増大させ、弾性をよりいっそう増強することが可能である。
２．ボールを打つ際、ロフトが増大するため、ボールを高く打つことが可能である。
３．鋳造成型によるチタン合金の前ユニットはネックを含まず、コスト面で有利である。
【０００９】
４．本発明における前ユニットと後ユニットとの間は凸部と凹槽により嵌合係止され、その後、ろう付けにより接合される。このような接合法による構造は、鋳造成型による前ユニットに有利である。それは、鋳造成型が寸法の精度をコントロールし難く、曲折変形を避け難いことであり、特に、前ユニットが弧状を呈するため、凸部と凹槽とを嵌合構造にすることにより、前ユニットの寸法の差を許容可能だからである。したがって、特に、製造に有利である。
５．チタン合金成型による前ユニットは軽量であり、かつトーを極めて薄くすることにより、クラブヘッドの重心を下方および後方へ傾けるように設計することが可能であるため、重心の極めて低いクラブヘッドを製造することが可能となる。
【図面の簡単な説明】
【００１０】
【図１】本発明の第一実施例によるクラブフェイスを後方へ弾性変形させることが可能であるクラブヘッドを示す平面図である。
【図２】図１を２−２線で切断した断面図である。
【図３】本発明の第一実施例によるクラブフェイスを後方へ弾性変形させることが可能であるクラブヘッドの打球後の後方へ傾斜したクラブフェイスを示す模式図である。
【図４】本発明の第二実施例によるクラブフェイスを後方へ弾性変形させることが可能であるクラブヘッドを示す模式図である。
【符号の説明】
【００１１】
１０  クラブヘッド、１１  ネック、２０  前ユニット、２１  クラブフェイス、２２  垣部、２３  トー、２４  凸部、３０  後ユニット、３３  頂面部、３４  凹槽、４０  クラブヘッド、５０  前ユニット、５１  凹槽（洞）、５２  プレート、６０  後ユニット
【図１】
2007289332.tif 000003
【図２】
2007289332.tif 000004
【図３】
2007289332.tif 000005
【図４】
2007289332.tif 000006